(57)【要約】【課題】複数のイメージを含むビデオ表示の未許可の再生を防ぐシステムを提供する。【解決手段】当該システムは、エンコーダとデコーダを備え、エンコーダは、前記イメージの一部に対応して、各ロケーションでデータをストアしてデータアレイを提供する第１の複数のメモリロケーションを有する第１のメモリを含み、イメージの一つに対応して擬似ランダムデータ信号を提供する。また、前記第１のメモリを擬似ランダムにアドレス指定するランダマイザを含む。デコーダは、第２のメモリを含み、擬似ランダムデータシグナルを受信し、前記第１のメモリのオリジナルのメモリロケーションアレイに対応して受信されたデータを第２の複数のメモリロケーションに擬似ランダムに適用するランダマイザを含み、第２のメモリロケーションで第１のメモリにストアされるように前記データのアレイを提供し、表示装置受信用のシグナルを提供することができる。【選択図】図３
2011254489.tif 000002
【特許請求の範囲】
【請求項１】
ビデオ再生システムにおいて、表示される複数のイメージの各々に対して所定の順序でデジタルデータを供給するためのイメージソースと、前記デジタルデータを使用して前記複数のイメージを表示するための表示装置とを含む、前記複数のイメージの無断複製を失敗させる方法であって、
前記複数のイメージのいくつかに対応した前記デジタルデータを別個に再配置し、前記表示装置に直接適用された場合に、少なくとも前記いくつかのイメージに対応した適当な表示を提供することができないデジタルデータの再配置されたシーケンスを提供すること、及び
前記所定の順序に従ってデータの前記再配置されたシーケンス再び整理し、前記複数のイメージの前記少なくともいくつかに対し前記所定の順序で前記デジタルデータを提供すること、
を含む方法。
【請求項２】
前記再配置することが、
第１のメモリ装置内の前記少なくとも一つのイメージの少なくとも一部に対応するデータをストアすること、及び
シーケンスに依存して、ビットストリームの一部として前記第１のメモリ装置から前記データを読み出すこと、
を含む請求項１記載の方法。
【請求項３】
前記非再配置することが、
前記シーケンスに従って第２のメモリ装置内の前記ビットストリームをストアすること、及び
前記第１のメモリ装置でストアしたのと同じ順序で前記第２のメモリ装置から前記データを読み出すこと、
を含む請求項２記載の方法。
【請求項４】
前記シーケンスは、擬似ランダムシーケンスであり、前記イメージの各々は、複数のマクロブロックに分割され、前記デジタルデータを前記再配置することは、互いに前記マクロブロックの位置を変えることを含む請求項３記載の方法。
【請求項５】
表示される複数のイメージを含むビデオ表示の未許可の再生を妨げるシステムであって、エンコーダとデコーダを備え、
該エンコーダは、
少なくとも一つの前記イメージの一部に対応して、各ロケーションでデータをストアして、データアレイを提供するためのアドレス指定可能な第１の複数のメモリロケーションを有する第１のメモリを含み、
前記イメージの前記一つに対応して、擬似ランダムデータ信号を提供するための、前記第１のメモリを擬似ランダムにアドレス指定するランダマイザを含み、
該デコーダは、
第２の複数のアドレス指定可能なメモリロケーションを有する第２のメモリを含み、
前記擬似ランダムデータシグナルを受信し、前記第１のメモリのオリジナルのメモリロケーションアレイに対応して前記受信されたデータを前記第２の複数のメモリロケーションに擬似ランダムに適用するためのランダマイザを含み、前記第２のメモリロケーションで前記第１のメモリにストアされるように前記データのアレイを提供し、従来通りにアドレス指定を行うことができて表示装置による受信のためのシグナルを提供することができる、システム。
【請求項６】
第１のハウジング内に配置され、前記第１のメモリに前記イメージに対応するデジタルデータを適用するために前記第１のメモリに連結される、イメージソースと、
第２のハウジング内に少なくとも部分的に含まれ、前記第２のメモリ装置から前記デジタルデータを受け取るために前記第２のメモリ装置に連結される表示装置と、を含み、
前記エンコーダは前記第１のハウジング内で安全にされ(secured)、前記デコーダは前記第２のハウジング内で安全にされる請求項５記載のシステム。
【請求項７】
表示されるときに、ビデオ表示を構成する複数のイメージのコピーを防ぐための方法であって、該方法が、前記少なくとも一つの前記イメージを安全にすることを含み、
前記安全にすることが、
前記少なくとも一つの前記イメージを表わすデータを提供すること、
所定の順序で、メモリアドレスの第１の複数の前記データの少なくとも一部をストアすること、
前記所定の順序と異なる他の順序で、前記第１の複数のメモリアドレスから前記データを読み込み、前記データを前記異なる順序で含む信号を提供すること、
前記信号を前記他の順序に従うメモリアドレスの第２の複数に適用すること、及び
前記所定の順序の前記第２のメモリ装置からの適用されたデータを読み出すこと、
を含む方法。
【請求項８】
前記第２のメモリ装置及び表示装置から前記読込みデータを使用してビデオ表示として連続して前記複数のイメージを表示すること、及び
前記提供している前記データのためのソースとして同じエンクロージャ内の前記第１のメモリを安全にし、前記表示装置と同じエンクロージャ内で前記第２のメモリを固定することを含む請求項７記載の方法。
【請求項９】
前記少なくとも一つのイメージが、複数のマクロブロックに分割され、前記マクロブロックに対応するデータは、個々にストアされ、読み込まれ、適用される請求項７記載の方法。
【請求項１０】
表示されるときに、ビデオ表示を構成するフレームの未許可の盗みを妨げるための方法であって、
各々の前記フレームを複数の部分に分割すること、
所定の順序で、第１のメモリ内の前記フレームの一つの前記部分のうちの少なくとも２つに対応するデータをストアすること、
前記シグナルが表示装置に直接提供される場合に、前記部分が、適切な相対的な位置指示に対して視覚的に位置がずれるように、シグナルを提供するためにシーケンスに従属して前記ストアされたデータを擬似ランダムに再配置すること、
前記表示装置に前記再配置されたデータを送信すること、
前記シーケンスに依存して、第２のメモリに受け取られ、再配置されたデータを適用し、もって前記データが前記第２のメモリから読み込まれることができるように前記所定の順序で前記第２のメモリの前記受信されるデータをストアし、前記フレームの前記一つは、前記表示装置を使用して表示する方法。
【発明の詳細な説明】
【技術分野】
【０００１】
［関連出願］
本出願は、１９９９年７月２３日出願のアメリカ仮出願No.60/145,306、発明の名称「イメージ再配置による電子映画海賊行為を破る手段(MEANS OF DEFEATING ELECTRONIC MOVIE PIRACY THROUGH IMAGE REARRANGEMENT)」の利益を主張する。
【０００２】
本発明は、電子ビデオ再生システム、及び、特に電子ビデオ表示の無断複製を予防するための方法及び装置に関する。
【背景技術】
【０００３】
本発明は、劇場のデジタル映画及びそれらの表示に関するものとして記載されている。しかし、他のデジタルビデオ表示方法及びシステムに等しく適用できることが理解されなければならない。
【０００４】
今日のデジタル映画に関する重大な課題は、海賊行為又はそれの未許可の再生である。映画の海賊版は、フィルム及び他の電子メディア（例えばビデオテープ又は磁気又は光ディスク）で見つけることができる。海賊版の映画は、世界中に販売され、適当な人物（例えば創作者又はスタジオ）にいかなるロイヤリティも支払われずに示される。従って、できる限り安全であり、できる限り海賊行為の影響を受けない電子ビデオ表示システムが存在することが望ましい。
【０００５】
デジタル映画又はビデオ表示を表示する用途に使用される電子ビデオ表示システムにおいて、映画又はビデオ表示を表すデータは、システムの大部分に対して比較的安全である。図１は、このようなシステム１０である。図に関して、同様の参照符号は、本発明の同様の要素を示す。
【０００６】
図１に関して、映画等のビデオ表示は、スタジオ等の場所２０で、一般的に準備される。映画は、劇場のような異なった場所３０で、一般的に表示される。スタジオ２０で従来の処理要素４０を使用して、映画は取り込まれ、デジタル化され、ビットストリームに圧縮され、そのビットストリームは次に暗号化され、安全なデジタルビットストリーム５０が提供される。映画は、ビットストリーム５０から再生可能である。暗号化されたビットストリーム５０は、なんらかの手段（例えばコンピュータネットワーク又は磁気テープ若しくはディスク等の物理的な媒体）によって離れた場所３０へ運ばれる。劇場３０で、暗号化されたビットストリーム５０は、従来の処理要素６０を使用して、解読され且つ解凍される。解読され且つ解凍されたビットストリーム７０は、例えば映画スクリーン上にそれを表示するプロジェクタ８０に供給される。
【０００７】
物理的なスタジオ２０は、映画が違法コピーされることから保護するために安全にされるであろう。スタジオ２０と劇場３０との間で、ビットストリーム５０は暗号化される。それゆえに、たとえ、ビットストリーム５０が傍受されるか又は盗まれても、十分に強力な暗号化技術が存在して、映画の海賊版の簡単な再生を防ぐために用いられる。劇場３０の中で、要素６０を使用しての解凍及び解読はほとんど同時に起こる。これは、従来のロックドハウジング又はエンクロージャを使用して十分に安全になされることができ、同じコンピュータプラットフォームに一般的に提供される。
【０００８】
しかし、要素６０及びプロジェクタ８０での解凍と解読との間の伝送リンク上の、解読及び解凍されたシグナル７０は、従来通り、適当な器材を使用して傍受され及び盗まれることができる可能性がある「明白な」シグナルである。
【発明の概要】
【発明が解決しようとする課題】
【０００９】
映画等のビデオ表示の信号７０の盗み又は無断複製を予防することが、本発明の目的である。
【課題を解決するための手段】
【００１０】
表示される複数のイメージを含むビデオ表示の未許可の再生を妨げるシステムを作動するためのシステム及び方法である。当該システムは、エンコーダとデコーダを備え、該エンコーダは、前記イメージの少なくとも一つの一部に対応して、各ロケーションでデータをストアして、データアレイを提供するためのアドレス指定可能な第１の複数のメモリロケーションを有する第１のメモリを含み、前記イメージの前記一つに対応して、擬似ランダムデータ信号を提供するための、前記第１のメモリを擬似ランダムにアドレス指定するランダマイザを含み、該デコーダは、第２の複数のアドレス指定可能なメモリロケーションを有する第２のメモリを含み、前記擬似ランダムデータシグナルを受信し、前記第１のメモリのオリジナルのメモリロケーションアレイに対応して前記受信されたデータを前記第２の複数のメモリロケーションに擬似ランダムに適用するためのランダマイザを含み、前記第２のメモリロケーションで前記第１のメモリにストアされるように前記データのアレイを提供し、従来通りにアドレス指定を行うことができて表示装置による受信のためのシグナルを提供することができる。
【００１１】
本発明の効果及び態様は、以下の詳細な説明及び添付の図面に関連してより完全に理解されるであろう。
【図面の簡単な説明】
【００１２】
【図１】図１は、発明の背景において論じた従来の映画製造配給及び表示システムのブロック図を示す。
【図２】図２は、図１のシステムの表示部分のより詳細な図を説明する。
【図３】図３は本発明の好ましい形に従って構成される図２の表示部分を説明する。
【図４】図４は、本発明に従った映画のフレーム又はイメージの再配置を説明する。
【発明を実施するための形態】
【００１３】
図３及び４に関して本願明細書で論じられるように、本発明は、プロジェクタ８０に送信される映画の個々のイメージの全てでないにしろ少なくともいくらかを再配置することによって本質的に作用し、盗まれた場合であっても、これらのイメージが映画の有効な再生物に容易に再構成されることができないようになっている。関連技術の通常の技術を有する者に知られているように、デジタルビデオ又は映画は、連続して表示される一連のイメージ又はフレームを含む。フィルム上で、各々のイメージは、完璧(complete)且つ無傷である(intact)。デジタル映画において、各々のイメージは、ピクセルから成り立っている。もちろん、ピクセルは画素には長さが不十分で、最も小さい単一のグラフィックイメージのアドレス指定可能な要素である。周知のように、各々のピクセルは明確に規定され、二次元アレイを形成するためにロー及びカラムに配列されている。ピクセルのアレイは、映画のフレームとして表示されるイメージを形成する。本発明は、デジタル映画の各々のイメージがピクセルに分割されるという事実を利用し、映画を海賊行為から更に保護するために個々のイメージを操るものである。
【００１４】
図２に、イメージソース９０及びプロジェクタ８０を含む劇場３０において提供される装置のブロック図を示す。イメージソース９０は、図１で図示したように、デクリプタ及びデコンプレッサ６０という形、又はプロジェクタ８０にデジタル画像を提供するための他のいかなる適切な構成をもとることもできる。イメージソース９０は、プロジェクタ８０にデジタルシグナル７０を提供する。説明したように、シグナル７０は、フレームごとにプロジェクタ８０によって表示される映画の個々のイメージを形成するピクセルを含む。プロジェクタ８０によるが、シグナル７０内のどの任意のイメージにも対応するピクセルは、ラスタスキャンのように同時又は連続して表示されることができる。いずれにせよ、各イメージは、シグナル７０で、イメージからイメージ（例えばフレームからフレーム）において変わらない固定されたオーダーの、ピクセルのブロック又は個々のピクセルとして送信される。
【００１５】
本発明は、シグナル７０の海賊行為を予防する。ゆえに、映画は、イメージからイメージへ、ランダムな方法で、シグナル７０の各イメージのピクセルのブロック又はピクセルの順序を変化させることによってプロジェクタ８０を使用して表示される。
【００１６】
今、図３で、シグナル７０’の無断複製を防ぐために本発明に従って適応された図２の劇場３０の構成を含む構成１００を説明する。構成１００は、フレームバッファ１１０及びランダマイザ１２０を含む。フレームバッファ１１０の入力は、イメージソース９０の出力に結合する。フレームバッファ１１０の出力は、ランダマイザ１２０の入力に結合する。シグナル７０’は、図３に図示するように、ランダマイザ１２０の出力とデランダマイザ１３０の入力との間で送信される。デランダマイザ１３０の出力は、フレームバッファ１４０の入力に結合し、フレームバッファ１４０の出力は、プロジェクタ８０の入力に結合する。
【００１７】
本発明の好適な実施例で、フレームバッファ１１０及びランダマイザ１２０は、イメージソース９０の物理的近傍にあり、好ましくは、イメージソース９０と同じハウジング又はエンクロージャ９５に位置する。
【００１８】
本発明によれば、イメージソース９０は、フレームバッファ１１０への出力を提供する。フレームバッファ１１０は、イメージソース９０から出る各々のイメージ出力の少なくとも一部を保持する。関連技術分野の通常の技術を有する者に理解されているように、フレームバッファ１１０及び１４０は、各々アドレス指定可能なメモリロケーションのアレイを含み、それに割り当てられるメモリアドレス又は固有の識別子を各々有する。フレームバッファ、記憶装置、及びメモリはもちろん公知で、ビデオ関連技術で広く使用されている。ランダマイザ１２０は、疑似ランダムの方法でフレームバッファ１１０のメモリアドレスの内容にアクセスし、これらの擬似ランダムにアクセスされたアドレスの内容を、シグナル７０’の一部として連続して書き込む。
【００１９】
周知のように、疑似乱数発生器が、ランダムに対する統計検査を満たす疑似ランダムのシーケンスを生成するために使われることができる。これらのタイプによって提供されるランダムなシーケンスは、同じ出発点から始まることによって繰り返されるであろう。フレームバッファ１１０によってストアされているようにデータのアクセス及び読み出しの順序を制御するために、擬似ランダムシーケンスを用いることによって、プロジェクタ８０によって表示される映画を形成する各々のイメージ又はフレームの疑似ランダム化バージョンが、シグナル７０’としてイメージソース９０及びプロジェクタ８０間の無防備なリンク上に送信される。ゆえに、シグナル７０’は、ランダム化されて、傍受されても図２のシグナル７０よりも有効に使われる可能性がより少ない。フレームバッファ１１０、ランダマイザ１２０及び疑似ランダムシーケンス発生器１２５を使用してランダム化された各映画のフレーム又はイメージは、デランダマイザ１３０、疑似ランダムシーケンス発生器１３５及びフレームバッファ１４０を使用して復元される。
【００２０】
デランダマイザ１３０は、擬似ランダムシーケンス発生器１３５を使用して、ランダマイザ１２０及び擬似ランダムシーケンス発生器１２５によって利用されたように同じ疑似ランダムのシーケンスを生成し、イメージに対応した、フレームバッファ１４０の適切なメモリアドレスに、シグナル７０のランダム化されたデータを適用する。換言すれば、データは、疑似ランダムのシーケンスに従って選ばれたフレームバッファ１１０のメモリアドレスから読み出され、同じ疑似ランダムのシーケンスによって選ばれたフレームバッファ１４０のメモリアドレスに適用される。フレームバッファ１４０で適用され、ストアされた後に、データは、次に、従来の方法で、対応するイメージを表示するプロジェクタ８０に供給される。このように、映画のいかなる所定のイメージに対しても、そのイメージに対応するデータは、フレームバッファ１１０及び１４０のアドレスに対応して同一にストアされて、データが従来通りフレームバッファ１１０に供給され、フレームバッファ１１０から擬似ランダムに読み出され、フレームバッファ１１０を読み込むために用いたものと同じ疑似ランダムのシーケンスを利用してフレームバッファ１４０に適用され、従来通りフレームバッファ１４０から読み出されるようになっている。
【００２１】
従来のデクリプタ／デコンプレッサ６０という形をとり、かなりの処理能力と物理的に大きいコンピューティングプラットフォームを必要とするであろうイメージソース９０と異なり、デランダマイザ１３０及びフレームバッファ１４０は、比較的物理的により小さすることができ、ゆえに、それに対してされる有意な修正なしで典型的プロジェクタ８０のエンクロージャ８５内の配置に適していることが理解されなければならない。本発明の好ましい形において、デランダマイザ１３０及びフレームバッファ１４０は、プロジェクタ８０のハウジング又はエンクロージャ８５内に物理的に配置される。
【００２２】
今、図４を参照し、シグナル７０’の一部としての伝送のための本発明に従い、映画の個々のイメージ又はフレーム１５０が、どのように再配置されることができるかについての実施形態を例示する。疑似ランダムのシーケンスを使用して、プロジェクタ８０を使用して表示される映画のフレーム又はイメージ１５０は、本発明に従い、ランダムな方法で異なるように有利に再配置されることができる。本発明の説明は、個々のピクセルに関するものであったが、ブロックサイズ又はピクセルグループ（無作為化のために利用される）の大きさは、特定のデザイン基準によって、各々のイメージの実質的部分から個々のピクセルまで変化することができることは理解されなければならない。
【００２３】
例えば、デジタルビデオにおいて、マクロブロック、４つの輝度のブロック、一つのＣrブロック及び一つのＣbブロックの使用は周知である。本発明の好ましい形で、個々のマクロブロックは、本願明細書に記載される方法論を使用して再配置される。
【００２４】
図４に、イメージソース９０によって供給されるオリジナルのイメージ１５０を例示する。イメージ１５０は、ピクセル１−９のグループを含む。類似して、プロジェクタ８０に対してフレームバッファ１４０によって提供された復元イメージ１５０”は、イメージ１５０と同じ順序及び各位置にピクセル１−９のグループを含む。イメージ１５０及び１５０''は、イメージソースエンクロージャ９５及びプロジェクタエンクロージャ８５内でそれぞれ保護されることを理解されなければならない。従って、エンクロージャ８５及び９５がより強力になると、イメージ１５０及び１５０''はより確実になる。イメージ１５０’は、シグナル７０’の一部としての伝送するために、本発明に従って再配置されたイメージ１５０の表示である。明らかに、ランダマイザ１２０及びデランダマイザ１３０によって利用される擬似ランダムシーケンスは、イメージ１５０”を発生するために適切に非アレンジ（ｄｅ−ａｒｒａｎｇｉｎｇ）するのに必要である。図４で分かるように、イメージ１５０内のピクセルグループ１−９の相対的な配置と比較すると、利用する擬似ランダムシーケンスに依存してイメージ１５０'のピクセルグループ１−９の相対的な配置は変化する。例えば、イメージ１５０’のピクセルグループ９は、イメージ１５０のピクセルグループ１に関係する位置にある。同様に、例えばイメージ１５０’のピクセルグループ１は、イメージ１５０のピクセルグループ６に関係する位置にある。この特定のピクセルグループ再配置が説明のためだけにあることが理解されなければならない。好適な実施形態のピクセルグループの関係配置はイメージごとに又はフレームごとに変えることができる。
【００２５】
本発明がある程度の特殊性を有する好適な形において記載して、描かれたが、好ましい形のこの開示は一例としてなされるだけであり、請求の範囲で主張されるように、構造及び組合せの細部及び部品配置における多数の変更が、本発明の精神と範囲から逸脱することなくなされることができると理解される。特許は、添付の請求の範囲の適切な表現によって開示される、本発明に内在する特許され得る新規性のどのような特徴にも及ぶように意図される。
【図１】
2011254489.tif 000003
【図２】
2011254489.tif 000004
【図３】
2011254489.tif 000005
【図４】
2011254489.tif 000006
【手続補正書】
【提出日】平成23年7月28日(2011.7.28)
【手続補正１】
【補正対象書類名】特許請求の範囲
【補正対象項目名】全文
【補正方法】変更
【補正の内容】
【特許請求の範囲】
【請求項１】
イメージデータの無断複製を失敗させる方法であって、
少なくとも一つのイメージフレームを表すイメージデータを再配置して、再配置されたイメージデータのシーケンスを生成するステップであって、前記再配置されたイメージデータのシーケンスを用いて生成された表示イメージは実質的に前記少なくとも一つのイメージフレームを表さない、ステップを含み、
前記再配置されたイメージデータのシーケンスを生成するステップは、
複数のアドレス指定可能な第１のメモリロケーションを有するメモリ装置に前記イメージデータを記憶するステップと、
擬似ランダムシーケンスを用いて前記アドレス指定可能なメモリロケーションから前記イメージデータを読み出してデータストリームを生成するステップと
を含み、
前記複数のアドレス指定可能な第１のメモリロケーションのアドレスと対応するアドレスを有する複数のアドレス指定可能な第２のメモリロケーションに前記データストリームを記憶し、前記データストリームは、前記擬似ランダムシーケンスに対応するシーケンスを生成し該生成したシーケンスを使用することによって記憶され、前記記憶されたデータストリームを読み出し前記データストリームを表示装置に送信することによって、前記イメージデータは、復元可能である、方法。
【請求項２】
前記少なくとも一つのイメージフレームの各々は、複数のマクロブロックに分割され、前記再配置されたイメージデータのシーケンスを生成するステップは、前記複数のマクロブロックの互いの位置を変えるステップをさらに含む、請求項１記載の方法。
【請求項３】
表示される複数のイメージを含むビデオ表示の未許可の再生を妨げるシステムであって、
アドレス指定可能な第１の複数のメモリロケーションを有し、少なくとも一つの前記イメージの一部に対応するデータを前記メモリロケーションのそれぞれにおいて記憶するメモリと、
前記メモリを擬似ランダムにアドレス指定し、前記少なくとも一つの前記イメージに対応する擬似ランダムデータストリームを生成するランダマイザと
を備え、
前記複数のアドレス指定可能な第１のメモリロケーションのアドレスと対応するアドレスを有する複数のアドレス指定可能な第２のメモリロケーションに前記データストリームを記憶することによって前記少なくとも一つの前記イメージは復元可能であり、
前記擬似ランダムデータストリームに対応する擬似ランダムシーケンスに対応するシーケンスを生成して、前記少なくとも一つの前記イメージを復元するための前記生成したシーケンスを使用することによって、前記データストリームは記憶される、エンコーダを備えるシステム。
【請求項４】
前記イメージに対応するデジタルデータを生成するために前記メモリに連結されるイメージソースを備える、請求項３記載のシステム。
【請求項５】
表示されるときに、ビデオ表示を構成する複数のイメージのコピーを防ぐための方法であって、
前記複数のイメージの少なくとも一つを表すデータを受信するステップと、
第１の複数のメモリアドレスに前記データの少なくとも一部を所定の順序で記憶するステップと、
前記所定の順序と異なる他の順序で、前記第１の複数のメモリアドレスから前記データを読み出し、前記データを前記異なる順序で含むデータストリームを生成するステップと
を含み、
前記複数のアドレス指定可能な第１のメモリロケーションのアドレスと対応するアドレスを有する複数のアドレス指定可能な第２のメモリロケーションに前記データストリームを記憶し、前記データストリームは、前記異なる順序に対応するシーケンスを生成し該生成したシーケンスを使用することによって記憶され、前記記憶されたデータストリームを読み出し前記データストリームを表示装置に送信することによって、前記複数のイメージの少なくとも一つは、復元可能である、方法。
【請求項６】
前記複数のイメージの前記少なくとも一つが、複数のマクロブロックに分割され、前記複数のマクロブロックに対応するデータは、個々に記憶され、読み出される、請求項５記載の方法。
【請求項７】
表示されるときに、ビデオ表示を構成する複数のフレームの未許可のコピーを妨げるための方法であって、
前記複数のフレームのそれぞれを複数の部分に分割するステップと、
前記複数の部分のうちの少なくとも２つに対応するデータを所定の順序で第１のメモリに記憶するステップと、
前記データストリームが表示装置に提供される場合に、前記複数の部分が適切な相対的な位置指示に対して視覚的に位置がずれるようにデータストリームを生成するために、シーケンスに基づいて前記記憶されたデータを擬似ランダムに再配置するステップと、
前記再配置されたデータを送信するステップと
を含み、
前記第１のメモリのアドレスと対応するアドレスを有する第２のメモリに前記データストリームを記憶し、前記データストリームは、前記シーケンスを使用することによって記憶され、前記記憶されたデータストリームを読み出し前記データストリームを表示装置に送信することによって、前記再配置されたデータは、復元可能である、方法。
【請求項８】
イメージデータの無断複製を失敗させる方法であって、
少なくとも一つのイメージフレームを表すイメージデータのシーケンスを並べ替えるステップであって、前記イメージデータは再配置されたイメージデータのシーケンスを生成するために再配置されたイメージデータであり、前記再配置されたイメージデータのシーケンスを用いて生成された表示イメージは実質的に前記少なくとも一つのイメージフレームを表さない、ステップを含み、
前記並べ替えるステップは、
複数のアドレス指定可能な第１のメモリロケーションを有するメモリ装置に前記イメージデータを記憶するステップと、
擬似ランダムシーケンスを用いて前記複数のアドレス指定可能な第１のメモリロケーションから前記イメージデータを読み出して前記並べ替えられたシーケンスを生成するステップと
を含み、
前記複数のアドレス指定可能な第１のメモリロケーションのアドレスと対応するアドレスを有する複数のアドレス指定可能な第２のメモリロケーションに前記データストリームを記憶し、前記データストリームは、前記擬似ランダムシーケンスに対応するシーケンスを生成し該生成したシーケンスを使用することによって記憶され、前記記憶されたデータストリームを読み出し前記データストリームを表示装置に送信することによって、前記イメージデータは、復元可能である、方法。
【請求項９】
表示される複数のイメージを含むビデオ表示の未許可の再生を妨げるシステムであって、
複数のアドレス指定可能な第１のメモリロケーションを有し、前記複数のイメージの少なくとも一つの部分を表す擬似ランダムデータストリームに対応するデータを前記アドレス指定可能なメモリロケーションのそれぞれに記憶するメモリと、
前記複数のアドレス指定可能な第１のメモリロケーションを擬似ランダムにアドレス指定して前記ビデオ表示を表すデータを生成するデランダマイザであって、複数のアドレス指定可能な第２のメモリロケーションを有するメモリデバイスに前記データを記憶し、擬似ランダムシーケンスを使用して前記複数のアドレス指定可能な第２のメモリロケーションから前記データを読み出すことによって、前記擬似ランダムデータストリームを生成したデランダマイザを備えるデコーダを備えるシステム。
【請求項１０】
表示されるときに、ビデオ表示を構成する複数のイメージのコピーを防ぐための方法であって、
所定の順序で、第１の複数のメモリアドレスに前記複数のイメージの少なくとも１つを表すデータを記憶することによって生成した第１のデータストリームを受信し、前記所定の順序と異なる他の順序で、前記第１の複数のメモリアドレスから前記データを読み出すステップと、
前記他の順序に従って、前記複数のアドレス指定可能な第１のメモリロケーションのアドレスと対応するアドレスを有する第２の複数のメモリアドレスに前記第１のデータストリームを記憶するステップと、
前記所定の順序で、前記第２の複数のメモリアドレスから前記データを読み出し、前記複数のイメージの少なくとも１つを表す第２のデータストリームを生成するステップと
を含む方法。
【請求項１１】
表示されるときに、ビデオ表示を構成する複数のフレームの未許可のコピーを妨げるための方法であって、
前記フレームのそれぞれを複数の部分に分割することによって生成されたデータを受信し、前記複数の部分の少なくとも２つに対応するデータを第１のメモリに所定の順序で記憶し、前記データが表示装置に表示されるときに前記部分が適切な相対的な位置指示に対して視覚的に位置がずれるように、シーケンスに基づいて前記記憶されたデータを擬似ランダムに配置するステップと、
前記第１のメモリのアドレスと対応するアドレスを有する第２のメモリに前記データを記憶することによって、前記記憶されたデータを前記シーケンスに基づいて擬似ランダムに再配置して前記複数の部分の少なくとも２つを表すデータストリームを生成するステップであって、前記データは、前記シーケンスを使用することによって記憶され、前記記憶されたデータは前記第２のメモリから読み出されるステップと
を含む方法。
【外国語明細書】
2011254489.tif 000007
2011254489.tif 000008
2011254489.tif 000009
2011254489.tif 000010
2011254489.tif 000011
2011254489.tif 000012
2011254489.tif 000013
2011254489.tif 000014
2011254489.tif 000015
2011254489.tif 000016
2011254489.tif 000017
2011254489.tif 000018
2011254489.tif 000019